(57)【要約】【課題】押さえ部材を天井下地材に取り付けた状態でも、天井材を天井下地材で区画された領域から容易に取り外す。【解決手段】Ｔバー材２は、鉛直部２０と、鉛直部２０から横方向に延び、仕上げ材３の周縁端部を受ける水平部２１と、鉛直部２０の上側に設けられた頭部２２とを有する。押さえ金具４は、Ｔバー材２の頭部２２に取り付けられた取付部４０と、取付部４０から下方に延びるとともに、上下方向中央部が両端部よりも仕上げ材３の鉛直部２０とは反対側に突出し、下端部がＴバー材２の鉛直部２０と仕上げ材３の周縁端面との間に位置し、Ｔバー材２の鉛直部２０側に撓むことが可能な脚部４１とを有する。そして、押さえ金具４をＴバー材２に取り付けた状態で仕上げ材３を上方に移動させることで押さえ金具４の脚部４１をＴバー材２の鉛直部２０側に撓ませることにより、仕上げ材３が取付領域Ｒから取り外し可能になっている。【選択図】図２
2018204429.tif 000002
【特許請求の範囲】
【請求項１】
第１所定方向及び第２所定方向に格子状に配設された天井下地材と、
上記天井下地材で区画された領域に取り付けられた天井材と、
上記天井材が浮き上がることを押さえる押さえ部材とを備え、
上記天井下地材は、鉛直部と、該鉛直部から該天井下地材の延長方向と直交する方向に延び、上記天井材の周縁端部を受ける水平部と、上記鉛直部の上側に設けられた頭部とを有し、
上記押さえ部材は、上記天井下地材の鉛直部又は頭部に取り付けられた取付部と、該取付部から下方に延びるとともに、上下方向中央部が両端部よりも上記天井下地材の鉛直部とは反対側に突出し、下端部が上記天井下地材の鉛直部と上記天井材の周縁端面との間に位置し、上記天井下地材の鉛直部側に撓むことが可能な脚部とを有し、
上記押さえ部材を上記天井下地材に取り付けた状態で上記天井材を上方に移動させることで上記押さえ部材の脚部を上記天井下地材の鉛直部側に撓ませることにより、上記天井材が上記領域から取り外し可能に構成されていることを特徴とする天井構造。
【請求項２】
請求項１記載の天井構造において、
上記押さえ部材の取付部は、上記天井下地材の頭部を覆う形状に形成され、該頭部に嵌めて取り付けられていることを特徴とする天井構造。
【請求項３】
請求項１又は２記載の天井構造において、
上記押さえ部材は、上記領域を構成する天井下地材のうち上記第１所定方向又は第２所定方向に相対する天井下地材にそれぞれ取り付けられ、
上記天井下地材の水平部は、上記鉛直部から上記押さえ部材が取り付けられた天井下地材が相対する方向の両側に延びる一対のものであり、
上記押さえ部材の取付部は、上記天井下地材の頭部を覆う形状に形成され、
上記押さえ部材の脚部は、上記天井下地材の鉛直部を挟んで配置され且つ該押さえ部材の取付部の周方向両端部からそれぞれ下方に延びる一対のものであることを特徴とする天井構造。
【請求項４】
請求項１〜３のいずれか１つに記載の天井構造において、
上記押さえ部材の脚部は、該脚部の下端部が上記天井材の周縁端部に接触していることを特徴とする天井構造。
【請求項５】
請求項１〜４のいずれか１つに記載の天井構造に用いられる押さえ部材。
【発明の詳細な説明】
【技術分野】
【０００１】
本発明は、天井構造及びこの構造に用いられる押さえ部材に関するものである。
【背景技術】
【０００２】
天井構造が従来技術として知られている。従来の天井構造には、正方形の格子状に組み付けられた天井下地材と、この天井下地材に固定され照明機器を収容する照明ボックスとを備え、天井下地材および照明ボックス間に天井板（天井材）を配置するものがある（例えば、特許文献１参照。）。
【先行技術文献】
【特許文献】
【０００３】
【特許文献１】特許第４９５６１３２号公報
【発明の概要】
【発明が解決しようとする課題】
【０００４】
ところで、地震等で天井材が縦揺れして浮き上がることを押さえるために、その浮き上がりを押さえる押さえ部材を天井下地材に取り付けることが考えられる。
【０００５】
ここで、天井下地材で区画された領域を点検口として機能させるために、天井材をその領域から取り外す場合があるが、押さえ部材を天井下地材に取り付けた状態であると、押さえ部材が邪魔になって、天井材を取り外せない虞がある。つまり、天井下地材で区画された領域は、点検口として機能しない。また、押さえ部材を天井下地材に取り付けた状態で、天井材を無理に取り外そうとすると、天井材が傷付く虞がある。
【０００６】
本発明は、かかる点に鑑みてなされたものであり、その課題とするところは、押さえ部材を天井下地材に取り付けた状態でも、天井材を天井下地材で区画された領域から容易に取り外すことにある。
【課題を解決するための手段】
【０００７】
上記の課題を解決するため、本発明は、押さえ部材を天井下地材に取り付けた状態で、天井材が天井下地材で区画された領域から取り外し可能になっていることを特徴とする。
【０００８】
具体的には、第１の発明は、第１所定方向及び第２所定方向に格子状に配設された天井下地材と、上記天井下地材で区画された領域に取り付けられた天井材と、上記天井材が浮き上がることを押さえる押さえ部材とを備え、上記天井下地材は、鉛直部と、該鉛直部から該天井下地材の延長方向と直交する方向に延び、上記天井材の周縁端部を受ける水平部と、上記鉛直部の上側に設けられた頭部とを有し、上記押さえ部材は、上記天井下地材の鉛直部又は頭部に取り付けられた取付部と、該取付部から下方に延びるとともに、上下方向中央部が両端部よりも上記天井下地材の鉛直部とは反対側に突出し、下端部が上記天井下地材の鉛直部と上記天井材の周縁端面との間に位置し、上記天井下地材の鉛直部側に撓むことが可能な脚部とを有し、上記押さえ部材を上記天井下地材に取り付けた状態で上記天井材を上方に移動させることで上記押さえ部材の脚部を上記天井下地材の鉛直部側に撓ませることにより、上記天井材が上記領域から取り外し可能に構成されていることを特徴とする天井構造である。
【０００９】
これによれば、押さえ部材を天井下地材に取り付けた状態で天井材を上方に移動させることで押さえ部材の脚部を天井下地材の鉛直部側に撓ませることにより、天井材が天井下地材で区画された領域から取り外し可能になっているので、押さえ部材を天井下地材に取り付けた状態でも、天井材をその領域から容易に取り外すことができる。
【００１０】
第２の発明は、上記第１の発明において、上記押さえ部材の取付部は、上記天井下地材の頭部を覆う形状に形成され、該頭部に嵌めて取り付けられていることを特徴とするものである。
【００１１】
これによれば、押さえ部材の取付部が、天井下地材の頭部を覆う形状に形成され、頭部に嵌めて取り付けられているので、押さえ部材の天井下地材への取付手段を別途必要とせずに、押さえ部材を天井下地材に取り付けることができる。
【００１２】
第３の発明は、上記第１又は第２の発明において、上記押さえ部材は、上記領域を構成する天井下地材のうち上記第１所定方向又は第２所定方向に相対する天井下地材にそれぞれ取り付けられ、上記天井下地材の水平部は、上記鉛直部から上記押さえ部材が取り付けられた天井下地材が相対する方向の両側に延びる一対のものであり、上記押さえ部材の取付部は、上記天井下地材の頭部を覆う形状に形成され、上記押さえ部材の脚部は、上記天井下地材の鉛直部を挟んで配置され且つ該押さえ部材の取付部の周方向両端部からそれぞれ下方に延びる一対のものであることを特徴とするものである。
【００１３】
これによれば、押さえ部材の脚部が、天井下地材の鉛直部を挟むように配置され且つ押さえ部材の取付部の周方向両端部からそれぞれ下方に延びる一対のものであるので、単一の押さえ部材で、第１所定方向又は第２所定方向に並設された２つの天井材が浮き上がることを押さえることができる。
【００１４】
第４の発明は、上記第１〜第３のいずれか１つの発明において、上記押さえ部材の脚部は、該脚部の下端部が上記天井材の周縁端部に接触していることを特徴とするものである。
【００１５】
これによれば、押さえ部材の脚部の下端部が天井材の周縁端部に接触しているので、天井材が浮き上がることを確実に押さえることができる。
【００１６】
第５の発明は、上記第１〜第４のいずれか１つの発明に記載の天井構造に用いられる押さえ部材である。
【００１７】
これによれば、上記第１〜第４のいずれか１つの発明と同様の作用効果が得られる。
【発明の効果】
【００１８】
本発明によれば、押さえ部材を天井下地材に取り付けた状態でも、天井材を天井下地材で区画された領域から容易に取り外すことができる。
【図面の簡単な説明】
【００１９】
【図１】本発明の実施形態に係るシステム天井構造を概略的に示す平面図である。
【図２】システム天井構造の要部を示す部分断面図である。
【図３】押さえ金具を示す斜視図である。
【図４】Ｔバー材の変形例を示す横断面図である。
【図５】押さえ金具の変形例を示す図２相当図である。
【発明を実施するための形態】
【００２０】
以下、本発明の実施形態を図面に基づいて詳細に説明する。以下の好ましい実施形態の説明は、本質的に例示に過ぎず、本発明、その適用物或いはその用途を制限することを意図するものではない。
【００２１】
図１は、システム天井構造を概略的に示す平面図であり、図２は、システム天井構造の要部を示す部分断面図であり、図３は、押さえ金具を示す斜視図である。
【００２２】
図１〜図３に示すように、システム天井構造１は、Ｔバー材２（天井下地材）と、仕上げ材３（天井材）と、押さえ金具４（押さえ部材）とを備えている。
【００２３】
Ｔバー材２は、上から見たときに縦方向（第１所定方向）及び横方向（第２所定方向）に格子状に等間隔で配設されている。格子状に配設されたＴバー材２は、その交差部で、床スラブに所定間隔で複数配設された吊りボルト５（図１では黒丸）を介して吊下げ支持されている。
【００２４】
Ｔバー材２は、スチール板材をＴバー材２の延長方向（図２では紙面を貫く方向）から見たときに略逆Ｔ字状にロール成形してなる。Ｔバー材２は、鉛直部２０と、水平部２１と、頭部２２とを有している。
【００２５】
鉛直部２０は、上下方向に延びている。鉛直部２０は、スチール板材を２枚、重ね合わせてなる。水平部２１は、仕上げ材３の後述する乗せ掛け部３０を受ける部分である。水平部２１は、鉛直部２０を挟んで横方向に対称に配置され且つ鉛直部２０の下端から横方向（Ｔバー材２の延長方向と直交する方向。または、後述する取付領域Ｒを構成するＴバー材２のうち、押さえ金具４が取り付けられたＴバー材２が相対する方向）の両側に延びる一対のものである。尚、水平部２１の表面は、塗装部２３で覆われている。頭部２２は、鉛直部２０の上側に設けられている。頭部２２は、Ｔバー材２の延長方向から見たときに略矩形の中空状に形成されている。詳細に、頭部２２の、上下方向に相対する上下辺部は、その横方向中央部が両端部よりも上下方向の内側に突出している。
【００２６】
仕上げ材３は、例えば、岩綿吸音板である。仕上げ材３は、Ｔバー材２で区画された正方形の取付領域Ｒに取り付けられている。仕上げ材３は、上から見たときに正方形状に形成されている。仕上げ材３の周縁端部は、その下部が取り除かれることにより乗せ掛け部３０を構成している。乗せ掛け部３０は、上から見たときに正方形状に形成されている。乗せ掛け部３０は、その各辺部がＴバー材２の水平部２１に乗せ掛けられる。それにより、仕上げ材３が取付領域Ｒに取り付けられる。
【００２７】
押さえ金具４は、仕上げ材３が取付領域Ｒから浮き上がることを押さえる部材である。押さえ金具４は、仕上げ材３を取り付ける取付領域Ｒを構成するＴバー材２のうち、横方向に相対するＴバー材２に２つずつ取り付けられている（図１では黒四角）。押さえ金具４は、ＳＵＳバネ鋼板をプレス成形してなる。押さえ金具４は、取付部４０と、脚部４１とを有している。
【００２８】
取付部４０は、Ｔバー材２の頭部２２の外側を覆う形状に形成されている。詳細に、取付部４０は、左右辺部４０ａと、円弧部４０ｂとを有している。左右辺部４０ａは、Ｔバー材２の鉛直部２０を挟んで横方向に対称に配置されている。左右辺部４０ａは、Ｔバー材２の延長方向から見たときに上方に行くに従って横方向の外側に直線状に傾斜するように延びている。円弧部４０ｂは、左右辺部４０ａの上端同士を連結している。円弧部４０ｂは、Ｔバー材２の延長方向から見たときに略円弧状に形成されている。詳細に、円弧部４０ｂは、その延長方向両端部が内側（Ｔバー材２の頭部２２側）に凹んでいる。取付部４０は、Ｔバー材２の頭部２２の外側に嵌めて取り付けられている。それにより、取付部４０の周方向両端部（左右辺部４０ａの下端部）が、頭部２２の、横方向に相対する左右辺部の下端部にそれぞれ接触する。
【００２９】
脚部４１は、Ｔバー材２の鉛直部２０を挟んで横方向に対称に配置され且つ取付部４０の周方向両端部（左右辺部４０ａの下端部）からそれぞれ下方に延びる一対のものである。脚部４１は、その上下方向中央部が両端部よりも横方向の外側（Ｔバー材２の鉛直部２０とは反対側）に突出している。つまり、脚部４１は、Ｔバー材２の延長方向から見たときにＶ字状に形成されている。脚部４１の上端部の、Ｔバー材２の延長方向の中央部は、２つの切込みが入れられて、その間の部分が連結部４２を構成している。連結部４２は、取付部４０の周方向一端部（各辺部４０ａの下端部）の、Ｔバー材２の延長方向の中央部と、脚部４１の上端部の、Ｔバー材２の延長方向の中央部とを連結している。連結部４２を除く両脚部４１の上端同士の間隔は、Ｔバー材２の頭部２２の、横方向の長さよりも短い。連結部４２を除く脚部４１の上端は、Ｔバー材２の頭部２２の下辺部に接触している。
【００３０】
脚部４１の、横方向の外側への突出端は、仕上げ材３の乗せ掛け部３０の周縁端面よりも横方向の外側（鉛直部２０とは反対側）に位置している。両脚部４１の突出端同士の間隔は、Ｔバー材２の頭部２２の、横方向の長さよりも長い。
【００３１】
脚部４１の下端部は、Ｔバー材２の鉛直部２０と仕上げ材３の乗せ掛け部３０の周縁端面との間に位置している。両脚部４１の下端同士の間隔は、Ｔバー材２の頭部２２の、横方向の長さよりも短い。脚部４１の下端部は、仕上げ材３の乗せ掛け部３０の、周縁端面の上端部に接触している。そして、脚部４１は、押さえ金具４をＴバー材２に取り付けた状態で、連結部４２（取付部４０と脚部４１との連結部）を起点に横方向の内側（鉛直部２０側）に撓むことが可能になっている。
【００３２】
ここで、押さえ金具４をＴバー材２に取り付ける際には、作業者が押さえ金具４をＴバー材２に対して下方に移動させて、押さえ金具４の左右の部分を押さえ金具４の上端部を起点に横方向の外側（Ｔバー材２の鉛直部２０とは反対側）にそれぞれ撓ませることにより、Ｔバー材２の頭部２２を押さえ金具４の脚部４１間の部分を通過させる。そうすると、押さえ金具４の取付部４０が頭部２２の外側に嵌め込まれる。それにより、押さえ金具４がＴバー材２に取付固定される。
【００３３】
また、押さえ金具４をＴバー材２に取り付けた状態で、仕上げ材３をＴバー材２で区画された取付領域Ｒに取り付ける際には、作業者が仕上げ材３を押さえ金具４の脚部４１に接触案内させながら下方に移動させる。そうすると、脚部４１が連結部４２を起点に横方向の内側（Ｔバー材２の鉛直部２０側）に撓む。それにより、仕上げ材３が押さえ金具４の部分を通過して、取付領域Ｒに取り付けられる。
【００３４】
また、地震等で仕上げ材３が縦揺れした際には、押さえ金具４の脚部４１が仕上げ材３を下方に押し付ける。それにより、仕上げ材３が取付領域Ｒから浮き上がることが押さえられる。つまり、仕上げ材３は、地震で浮き上がらない。
【００３５】
また、押さえ金具４をＴバー材２に取り付けた状態で、仕上げ材３を取付領域Ｒから取り外す際には、作業者が仕上げ材３を押さえ金具４の脚部４１に接触案内させながら上方に移動させる。そうすると、脚部４１が連結部４２を起点に横方向の内側（Ｔバー材２の鉛直部２０側）に撓む。それにより、仕上げ材３が押さえ金具４の部分を通過して、取付領域Ｒから取り外される。つまり、仕上げ材３は、作業者の手で上方に押すと持ち上がる。そして、仕上げ材３を取付領域Ｒから取り外すことにより、取付領域Ｒは、押さえ金具４をＴバー材２に取り付けた状態でも、点検口として機能する。
【００３６】
−効果−
以上より、本実施形態によれば、押さえ金具４をＴバー材２に取り付けた状態で仕上げ材３を上方に移動させることで押さえ金具４の脚部４１をＴバー材２の鉛直部２０側に撓ませことにより、仕上げ材３がＴバー材２で区画された取付領域Ｒから取り外し可能になっているので、押さえ金具４をＴバー材２に取り付けた状態でも、仕上げ材３をその取付領域Ｒから容易に取り外すことができる。
【００３７】
また、押さえ金具４の取付部４０が、Ｔバー材２の頭部２２を覆う形状に形成され、頭部２２に嵌めて取り付けられているので、押さえ金具４のＴバー材２への取付手段を別途必要とせずに、押さえ金具４をＴバー材２に取り付けることができる。
【００３８】
また、押さえ金具４の脚部４１が、Ｔバー材２の鉛直部２０を挟むように配置され且つ押さえ金具４の取付部４０の周方向両端部からそれぞれ下方に延びる一対のものであるので、単一の押さえ金具４で、横方向に並設された２つの仕上げ材３が浮き上がることを押さえることができる。
【００３９】
また、押さえ金具４の脚部４１の下端部が仕上げ材３の周縁端部に接触しているので、仕上げ材３が浮き上がることを確実に押さえることができる。
【００４０】
（その他の実施形態）
上記実施形態では、Ｔバー材２を格子状に等間隔で配設したが、異なる間隔で配設しても良い。
【００４１】
また、上記実施形態では、Ｔバー材２を、スチール板材をロール成形してなるものとしたが、これに限らず、例えば、図４に示すように、アルミを押出し成形してなるものとしても良い。図４に示すＴバー材２は、水平部２１の横方向両端部からそれぞれ下方に延びるＬ字状部２４を有している。さらに、頭部２２は、上側に開口している。
【００４２】
また、上記実施形態では、Ｔバー材２の水平部２１の表面を塗装部２３で覆ったが、覆わなくても良い。
【００４３】
また、上記実施形態では、押さえ部材を金具としたが、例えば、樹脂製品としても良い。
【００４４】
また、上記実施形態では、押さえ金具４を、取付領域Ｒを構成するＴバー材２のうち、横方向に相対するＴバー材２に２つずつ取り付けたが、これに限らず、例えば、縦方向に相対するＴバー材２にそれぞれ取り付けても良い。さらに、相対するＴバー材２に１つずつ又は３つ以上ずつ取り付けても良い。さらにまた、相対するＴバー材２に異なる数だけ取り付けても良い。
【００４５】
また、上記実施形態では、押さえ金具４の取付部４０をＴバー材２の頭部２２に取り付けたが、これに限らず、例えば、Ｔバー材２の鉛直部２０に取り付けても良い。
【００４６】
また、上記実施形態では、押さえ金具４の取付部４０をＴバー材２の頭部２２に嵌めて取り付けたが、これに限らず、その取付手段を、例えば、テープやビスにしても良い。
【００４７】
また、上記実施形態では、押さえ金具４の脚部４１を一対設けたが、これに限らず、例えば、図５に示すように、１つだけ設けても良い。尚、図５に示す押さえ金具４は、取付部４０が直線状に形成され、取付部４０の、Ｔバー材２の頭部２２への取付手段は、例えば、テープやビスである。さらに、脚部４１は、取付部４０の下端部から下方に延びている。
【００４８】
また、上記実施形態では、押さえ金具４の脚部４１をＶ字状に形成したが、その上下方向中央部が両端部よりもＴバー材２の鉛直部２０とは反対側に突出する限り、これに限定されず、例えば、曲線状に形成しても良い。
【００４９】
また、上記実施形態では、押さえ金具４の脚部４１全体をＶ字状に形成したが、これに限らず、例えば、上下方向に延びる脚部４１に２つの切込みを入れて、その間の部分をＶ字状に形成しても良い。
【００５０】
また、上記実施形態では、押さえ金具４の取付部４０と脚部４１とを連結部４２で連結したが、これに限らず、例えば、脚部４１の上端部に切込みを入れずに、取付部４０と脚部４１とを直接、連結しても良い。
【産業上の利用可能性】
【００５１】
以上説明したように、本発明は、天井構造及び押さえ部材等に適用することができる。
【符号の説明】
【００５２】
１      システム天井構造
２      Ｔバー材（天井下地材）
２０    鉛直部
２１    水平部
２２    頭部
２３    塗装面部
２４    Ｌ字状部
３      仕上げ材（天井材）
３０    乗せ掛け部
４      押さえ金具（押さえ部材）
４０    取付部
４０ａ  左右辺部
４０ｂ  円弧部
４１    脚部
４２    連結部
５      吊ボルト
Ｒ      取付領域
【図１】
2018204429.tif 000003
【図２】
2018204429.tif 000004
【図３】
2018204429.tif 000005
【図４】
2018204429.tif 000006
【図５】
2018204429.tif 000007